(57)【要約】      （修正有）【課題】簡易な構造で保持中の塗布容器が外れてしまうおそれを低減させる保持器具を提供する。【解決手段】保持器具は、アーム部１１０と、アーム部と連結され、内部に挿入された塗布容器を保持する保持部１２０と、を有し、保持部には、保持部の軸方向に沿ったスリット１２１が形成されるとともに、塗布容器の保持を補助するフック部１２２が形成されている。【選択図】図２
0003231931.tif 000002
【実用新案登録請求の範囲】
【請求項１】
アーム部と、
前記アーム部と連結され、内部に挿入された塗布容器を保持する保持部と、
を有し、
前記保持部には、当該保持部の軸方向に沿ったスリットが形成されるとともに、前記塗布容器の保持を補助するフック部が形成されている
保持器具。
【請求項２】
請求項１に記載の保持器具であって、
前記保持部は筒状の形状であり、
前記フック部は、前記保持部の内周面において当該保持部の軸垂直方向の厚みを変えることで形成されている
保持器具。
【請求項３】
請求項１または請求項２に記載の保持器具であって、
前記フック部は、前記保持部のうち前記スリットを形成する切り込みが入っている端部の方が他方側端部よりも厚くなるように前記保持部の軸垂直方向の厚みを変えることで形成されている
保持器具。
【請求項４】
請求項１から請求項３までのうちのいずれか１項に記載の保持器具であって、
前記保持部には、４つの前記スリットが等間隔で形成されており、
前記スリットの間それぞれに前記フック部が形成されている
保持器具。
【考案の詳細な説明】
【技術分野】
【０００１】
本考案は、保持器具に関し、特に薬剤入りの塗布容器などを保持する保持器具に関する。
【背景技術】
【０００２】
塗布容器を用いて薬剤を塗布する際、背中など部位によっては手が届かずに薬剤を塗布することが難しい場合がある。
【０００３】
このような問題に対処する際に用いられる技術として、例えば、特許文献１がある。特許文献１には、湾曲したアームの一端に持ち手を接続し、薬剤入りケースを取り付け可能に形成された取り付け部（保持部）を、アームの他端に接続し、取り付け部は、薬剤入りケースに設けられた薬剤の塗布面を外部に露出するように、薬剤入りケースを支持する薬剤塗布用器具（保持器具）が記載されている。また、特許文献１には、取り付け部にスリットを設けることが記載されている。
【先行技術文献】
【特許文献】
【０００４】
【特許文献１】特開２００７−３０７０６９号公報
【考案の概要】
【考案が解決しようとする課題】
【０００５】
特許文献１に記載されているように単に保持部にスリットを設ける場合、塗布容器の保持が不十分になり塗布容器が外れてしまうことがあった。このように、簡易な構造で保持中の塗布容器が外れてしまうおそれを低減させることが難しいという課題が生じていた。
【０００６】
そこで、本考案の目的は、簡易な構造で保持中の塗布容器が外れてしまうおそれを低減させることが難しい、という課題を解決する保持器具を提供することにある。
【課題を解決するための手段】
【０００７】
かかる目的を達成するため本考案の一形態である保持器具は、
アーム部と、
前記アーム部と連結され、内部に挿入された塗布容器を保持する保持部と、
を有し、
前記保持部には、当該保持部の軸方向に沿ったスリットが形成されるとともに、前記塗布容器の保持を補助するフック部が形成されている
という構成をとる。
【考案の効果】
【０００８】
本考案は、以上のように構成されることにより、簡易な構造で保持中の塗布容器が外れてしまうおそれを低減させることが可能となる。
【図面の簡単な説明】
【０００９】
【図１】本考案の第１の実施形態における保持器具の構成例を示す斜視図である。
【図２】保持部の詳細な構成例を示す斜視図である。
【図３】保持器具に薬剤入りの塗布容器を装着した際の様子の一例を示す図である。
【考案を実施するための形態】
【００１０】
［第１の実施形態］
本考案の第１の実施形態について図１から図３までを参照して説明する。図１は、保持器具１００の構成例を示す斜視図である。図２は、保持部１２０の詳細な構成例を示す斜視図である。図３は、保持器具１００に薬剤入りの塗布容器２００を装着した際の様子の一例を示す図である。
【００１１】
本考案の第１の実施形態においては、薬剤入りの塗布容器２００を保持する保持器具１００について説明する。後述するように、保持器具１００の保持部１２０には、スリット１２１が形成されるとともに、塗布容器２００の保持を補助するフック部１２２が形成されている。このような構成により、保持器具１００は、容易に塗布容器２００を保持可能とするとともに、簡易な構造で保持中の塗布容器２００が外れてしまうおそれを低減させることを可能とする。
【００１２】
図１は、保持器具１００の構成例を示している。図１を参照すると、保持器具１００は、アーム部１１０の先端に保持部１２０を連結した構造を有している。例えば、アーム部１１０と保持部１２０とは、一体的に構成されている。一例として、アーム部１１０と保持部１２０とを含む保持器具１００は、樹脂などにより形成される。
【００１３】
アーム部１１０は、保持器具１００を利用する利用者が薬剤を塗布する際などにつかむ部位である。図１で示すように、アーム部１１０は、肩や腰などの患部に利用者が薬剤を塗布しやすいように、所定の角度で湾曲している。なお、湾曲する角度は任意でよい。
【００１４】
また、図２で示すように、アーム部１１０は、例えば、内部に中空部を有するトンネル型の形状を有しており、中空部において所定の間隔で内部の空間をふさぐ壁部が設けられている。例えば、このような構造により、アーム部１１０は、軽量化をはかるとともに、強度を増すことが可能とする。
【００１５】
保持部１２０は、保持器具１００のうち塗布容器２００を保持する部位である。例えば、保持部１２０は、両端が開口する筒状の形状を有しており、筒状形状の外周面所定箇所でアーム部１１０と連結している。例えば、保持部１２０は、開口する両端のうちのいずれか一方から塗布容器２００を筒状の保持部１２０内部へと挿入することで、塗布容器２００を保持することが出来る。
【００１６】
図１、図２で示すように、筒状の保持部１２０には、当該筒状の保持部１２０の軸方向に沿った切り込みであるスリット１２１が例えば複数形成されている。例えば、保持部１２０のうち、塗布容器２００を保持した際に塗布容器２００の塗布面が位置する側から反対側に向かって、スリット１２１が形成されている。スリット１２１を構成する切り込みの長さは、任意であってよい。
【００１７】
一例として、保持部１２０には、等間隔で４つのスリット１２１が形成されている。保持部１２０には、上記例示した数以外の複数のスリット１２１が形成されてもよい。
【００１８】
また、保持部１２０には、内部に挿入された塗布容器２００をより強固に保持するための（つまり、保持を補助するための）フック部１２２が形成されている。例えば、筒状の保持部１２０内周面には、１つまたは複数のフック部１２２が形成されている。フック部１２２は、例えば、保持部１２０の内周面所定範囲において、当該保持部１２０の軸垂直方向の厚みを変えることで形成される。具体的に、例えば、フック部１２２は、塗布容器２００を保持した際に塗布容器２００の塗布面が位置する側の反対側（図２の右上側）から塗布面が位置する側（図２の左下側）に向かって、連続的に保持部１２０を厚くすることで形成される。換言すると、フック部１２２は、保持部１２０のうちスリット１２１を形成する切り込みが入っている端部の方が他方端部側より厚くなるように保持部１２０内周面所定範囲の厚みを滑らかに変えることで形成される。例えば、スリット１２１を形成する切り込みが入っている端部側は、他方端部側と比較して０．２ｍｍほど厚みが厚くなっている。なお、厚みの差は上記例示した以外であってもよい。また、フック部１２２の大きさ（内周面においてフック部１２２を形成する範囲）も任意に設定してよい。
【００１９】
一例として、保持部１２０には、等間隔で４つのフック部１２２が形成されている。例えば、フック部１２２は、隣り合うスリット１２１の間中央付近にそれぞれ形成されている。保持部１２０が有するフック部１２２の数は、上記例示した以外であってもよい。
【００２０】
以上が、保持器具１００の構成例である。
【００２１】
塗布容器２００は、例えば円柱形状を有しており、内部に薬剤が充填されている。また、塗布容器２００は、一方の端部（または端部付近）に薬剤が染み出る塗布面を有している。塗布容器２００は、一般的なものであってよい。
【００２２】
以上が、保持器具１００と塗布容器２００の構成例である。
【００２３】
図３は、保持器具１００が塗布容器２００を保持した際の様子を示している。上述したように、開口する両端のうちのいずれか一方から塗布容器２００を筒状の保持部１２０内部へと挿入することで、保持器具１００は塗布容器２００を保持することが出来る。図３を参照すると、塗布容器２００は、スリット１２１が形成されている側に塗布面を有する側が位置するように、保持器具１００に保持されていることが分かる。
【００２４】
例えば、以上のように、保持器具１００には、スリット１２１が形成されているとともに、フック部１２２が形成されている。このような構成によると、スリット１２１により容易に塗布容器２００を保持部１２０内部に挿入することが可能となる。また、フック部１２２を形成することにより、内部に挿入された塗布容器２００をより強固に保持することが可能となる。その結果、簡易な構造で保持中の塗布容器２００が外れてしまうおそれを低減させることが可能となる。
【００２５】
なお、塗布容器２００は、四角柱形状など円柱形状以外の形状を有していてもよい。また、保持器具１００が有する保持部１２０は、保持対象となる塗布容器２００の形状に応じた形状を有することが出来る。つまり、筒状の保持部１２０の断面は、図１などで例示する円形であってもよいし、正方形や長方形など例示した以外の形状であってもよい。
【００２６】
また、本実施形態においては、フック部１２２は、保持部１２０の厚みを変えることで実現した。しかしながら、フック部１２２は例えば、板バネなどにより実現されてもよい。
【００２７】
＜付記＞
上記実施形態の一部又は全部は、以下の付記のようにも記載されうる。以下、本考案における保持器具の構成の概略を説明する。但し、本考案は、以下の構成に限定されない。
【００２８】
（付記１）
アーム部と、
前記アーム部と連結され、内部に挿入された塗布容器を保持する保持部と、
を有し、
前記保持部には、当該保持部の軸方向に沿ったスリットが形成されるとともに、前記塗布容器の保持を補助するフック部が形成されている
保持器具。
（付記２）
付記１に記載の保持器具であって、
前記保持部は筒状の形状であり、
前記フック部は、前記保持部の内周面において当該保持部の軸垂直方向の厚みを変えることで形成されている
保持器具。
（付記３）
付記１または付記２に記載の保持器具であって、
前記フック部は、前記保持部のうち前記スリットを形成する切り込みが入っている端部の方が他方側端部よりも厚くなるように前記保持部の軸垂直方向の厚みを変えることで形成されている
保持器具。
（付記４）
付記１から付記３までのうちのいずれか１項に記載の保持器具であって、
前記保持部には、４つの前記スリットが等間隔で形成されており、
前記スリットの間それぞれに前記フック部が形成されている
保持器具。
【００２９】
以上、上記実施形態等を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００３０】
１００  保持器具
１１０  アーム部
１２０  保持部
１２１  スリット
１２２  フック部
２００  塗布容器
【図１】
0003231931.tif 000003
【図２】
0003231931.tif 000004
【図３】
0003231931.tif 000005